(57)【要約】【課題】緊急照明の機能を有し、現有の電源ソケットの位置をも占用しない誘導灯付ソケットを提供すること。【解決手段】本考案は、ケース、回路基板、少なくとも一つの発光ダイオード、少なくとも二つの導電端子及び蓄電ユニットを備える誘導灯付ソケットであって、前記ケース内には回路基板、蓄電ユニット、少なくとも一つの発光ダイオード及び少なくとも二つの導電端子が設けられ、且つ互いに電気的に接続され、さらに、前記少なくとも二つの導電端子は、前記ケースの内部において、前記ケースに対応して設置する少なくとも二つの開口及び少なくとも二つの挿孔に合わせることにより、誘導灯付ソケットを形成する。【選択図】図１
0003137399.tif 000002
【実用新案登録請求の範囲】
【請求項１】
ケースと、回路基板と、少なくとも二つの導電端子と、蓄電ユニットとを含んでなる誘導灯付ソケットであって、
前記ケースは、内部に収容空間を設け、少なくとも二つの開口及び少なくとも二つの挿孔を設けてあり、
前記回路基板は、前記ケースの内部に設けられ、かつ電気的に接続される少なくとも一つの発光ダイオードが設けてあり、
前記少なくとも二つの導電端子は、前記ケースの内部に設けられ、かつ前記回路基板に電気的に接続され、前記少なくとも二つの導電端子の一端はプラグであり、他端は電気接続部を形成し、各電気接続部はケースの挿孔に対応して設置され、各プラグは前記ケース上の各開口に対応して設置され、かつ前記プラグが前記ケースの各開口を貫通してあり、
前記蓄電ユニットは、前記ケースの内部に設けられ、かつ前記回路基板に電気的に接続され、さらに前記回路基板を介して前記導電端子と互いに電気的に接続され、電気回路を形成することを特徴とする、
誘導灯付ソケット。
【請求項２】
前記ケースは上側ハウジング及び下側ハウジングからなり、前記少なくとも二つの開口及び少なくとも二つの挿孔は前記上側ハウジングに設けられることを特徴とする、請求項１に記載の誘導灯付ソケット。
【請求項３】
前記上側ハウジングは、透光ケースであることを特徴とする、請求項２に記載の誘導灯付ソケット。
【請求項４】
前記上側ハウジング及び前記下側ハウジングは、透光ケースであることを特徴とする、請求項２に記載の誘導灯付ソケット。
【請求項５】
前記蓄電ユニットは、充電電池であることを特徴とする、請求項１に記載の誘導灯付ソケット。
【請求項６】
前記蓄電ユニットは、バッテリであることを特徴とする、請求項１に記載の誘導灯付ソケット。
【考案の詳細な説明】
【技術分野】
【０００１】
本考案は、誘導灯付ソケットに係わり、特に、ケース、回路基板、少なくとも一つの発光ダイオード、少なくとも二つの導電端子及び蓄電ユニットを備える組合設計により、停電の際に緊急照明でき、かつ現有の電源ソケットの位置を占用しない効果を有し、ソケットまたは類似構造に適応できるものである。
【背景技術】
【０００２】
一般に市場で見られる誘導灯は、常に階段口または部屋の壁面につけられ、そのランプ構造は台座内にバッテリが設置され、前記バッテリは電力供給された時に充電し、停電の際にランプの電力源とする。
【０００３】
しかしながら、前記誘導灯は、常備状態の時、或いは充電する時に、電源ソケットに差し込む必要があり、一つの電源ソケットの位置が占用され、一般に他の電気設備の使用には不便が与えられるようになる。
【０００４】
これを鑑み、本考案の創作者は、緊急照明の機能を有するほか、現有の電源ソケットの位置をも占用しない誘導灯付ソケットの提供を期し、入念な観察かつ研究をし、さらに学術理論の運用に合わせ、合理的に設計且つ組み立てし、消費者に提供することが本考案を創作しようとする動機である。
【考案の開示】
【考案が解決しようとする課題】
【０００５】
本考案の主な目的は、前記ケースには回路基板、蓄電ユニット、少なくとも一つの発光ダイオード及び少なくとも二つの導電端子が設けられ、かつ互いに電気的に接続され、前記少なくとも二つの導電端子は、前記ケース内において、前記ケースに対応して設置する少なくとも二つの開口及び少なくとも二つの挿孔に合わせてプラグ及びソケットを形成し、少なくとも一つの発光ダイオードが電源が供給されない時に緊急照明用のランプとして使用し、さらに、ソケット及びプラグを兼備する設計により、電源ソケットの位置を占用する不便を除き、全体の実用性及び便利性を向上させる誘導灯付ソケットを提供することにある。
【課題を解決するための手段】
【０００６】
前記目的を達成すため、本考案は、ケース、回路基板、少なくとも一つの発光ダイオード、少なくとも二つの導電端子及び蓄電ユニットを備える。前記ケース内は収容空間を設置し、前記ケースは少なくとも二つの開口及び少なくとも二つの挿孔を設け、前記回路基板は前記ケースの内部に設けられ、前記回路基板には少なくとも一つの発光ダイオードが設けられ、前記少なくとも一つの発光ダイオードは前記回路基板に電気的に接続され、前記少なくとも二つの導電端子は、前記ケースの内部に設けられ、前記回路基板に電気的に接続され、前記少なくとも二つの導電端子の一端はプラグであり、前記少なくとも二つの導電端子の他の端は電気接続部を形成し、各電気接続部はケースの挿孔に対応して設置され、各プラグは前記ケース上の各開口に対応して設置され、かつ前記プラグを前記ケースの各開口を貫通させ、前記蓄電ユニットは前記ケースの内部に設けられ、前記回路基板に電気的に接続され、かつ前記蓄電ユニットは前記回路基板を介して前記導電端子と互いに電気的に接続され、電気回路を形成することによって、誘導灯付ソケットを形成し、その実用性及び便利性を向上させる。
【０００７】
すなわち、本願の第１考案は、ケースと、回路基板と、少なくとも二つの導電端子と、蓄電ユニットとを含んでなる誘導灯付ソケットであって、前記ケースは、内部に収容空間を設け、少なくとも二つの開口及び少なくとも二つの挿孔を設けてあり、前記回路基板は、前記ケースの内部に設けられ、かつ電気的に接続される少なくとも一つの発光ダイオードが設けてあり、前記少なくとも二つの導電端子は、前記ケースの内部に設けられ、かつ前記回路基板に電気的に接続され、前記少なくとも二つの導電端子の一端はプラグであり、他端は電気接続部を形成し、各電気接続部はケースの挿孔に対応して設置され、各プラグは前記ケース上の各開口に対応して設置され、かつ前記プラグが前記ケースの各開口を貫通してあり、前記蓄電ユニットは、前記ケースの内部に設けられ、かつ前記回路基板に電気的に接続され、さらに前記回路基板を介して前記導電端子と互いに電気的に接続され、電気回路を形成することを特徴とする、誘導灯付ソケットを提供することを要旨とするものである。
【０００８】
また、本願の第２考案は、前記ケースは上側ハウジング及び下側ハウジングからなり、前記少なくとも二つの開口及び少なくとも二つの挿孔は前記上側ハウジングに設けられることを特徴とする、本願の第１考案に記載の誘導灯付ソケットを提供することを要旨とするものである。
【０００９】
また、本願の第３考案は、前記上側ハウジングは、透光ケースであることを特徴とする、本願の第２考案に記載の誘導灯付ソケットを提供することを要旨とするものである。
【００１０】
また、本願の第４考案は、前記上側ハウジング及び前記下側ハウジングは、透光ケースであることを特徴とする、本願の第２考案に記載の誘導灯付ソケットを提供することを要旨とするものである。
【００１１】
また、本願の第５考案は、前記蓄電ユニットは、充電電池であることを特徴とする、本願の第１考案に記載の誘導灯付ソケットを提供することを要旨とするものである。
【００１２】
また、本願の第６考案は、前記蓄電ユニットは、バッテリであることを特徴とする、本願の第１考案に記載の誘導灯付ソケットを提供することを要旨とするものである。
【考案を実施するための最良の形態】
【００１３】
本考案の他の特徴及び具体的な実施例は、後続の詳しく説明及び図示よりさらに了解できる。
【実施例】
【００１４】
図１〜図３を参照すると、本考案に係る誘導灯付ソケットは、ケース１０、回路基板２０、少なくとも一つの発光ダイオード３０、少なくとも二つの導電端子４０及び蓄電ユニット５０を備える。
【００１５】
前記ケース１０内は収容空間を設置し、前記ケース１０は少なくとも二つの開口１１及び少なくとも二つの挿孔１２を設けてある。
本実施例では、前記ケース１０は、対応して配合する上側ハウジング１０１及び下側ハウジング１０２からなり、前記少なくとも二つの開口１１及び少なくとも二つの挿孔１２は、上側ハウジング１０１に設け、かつ、上側ハウジング１０１は透光ケースである（実際使用する時に、上側ハウジング１０１及び下側ハウジング１０２は透光ケースで、かつ、前記少なくとも二つの開口１１及び少なくとも二つの挿孔１２は、前記下側ハウジング１０２、或いは前記上側ハウジング１０１と下側ハウジング１０２との間に設けられても良い）。
【００１６】
回路基板２０は、前記ケース１０の内部に設けられ、前記回路基板２０には少なくとも一つの発光ダイオード３０が設けられ、前記少なくとも一つの発光ダイオードは前記回路基板２０に電気的に接続され、前記回路基板２０には電源回路及び制御回路が設けられ、電力変換、蓄電及び電力供給などの制御を提供できる。
【００１７】
少なくとも二つの導電端子４０は、前記ケース１０の内部に設けられ、前記少なくとも二つの導電端子４０の一端はプラグ４１であり、前記少なくとも二つの導電端子４０の他の端は電気接続部４２を形成し、各電気接続部４２は、前記ケース１０の各挿孔１２と互いに対応して設置され、各プラグ４１は前記ケース１０上の各開口１１に対応して設置され、かつ前記プラグ４１のそれぞれを前記ケース１０の各開口１１を貫通させ、前記ケース１０にプラグ及びソケットを形成し、本実施例では（図２を参照する）、前記少なくとも二つの導電端子４０は、前記回路基板２０に亘って設けられ、前記回路基板２０に電気的に接続され、実際使用する時に、前記少なくとも二つの導電端子４０は必要にに応じて前記ケース１０の内部の収容空間のあらゆる場所に設けられ、前記回路基板２０に電気的に接続されてもよい。
【００１８】
前記蓄電ユニット５０は、前記ケース１０の内部に設けられ、本実施例では（図２を参照する）、前記蓄電ユニット５０は前記回路基板２０の下方に設けられ、前記回路基板２０に電気的に接続され、実際使用する時に、必要に応じて前記ケース１０の内部の収容空間のあらゆる場所に設けられ、前記回路基板２０に電気的に接続されてもよい。また、前記蓄電ユニット５０は、充電電池またはバッテリなどであればよく、前記蓄電ユニット５０は、前記回路基板２０を介して前記導電端子４０と互いに電気的に接続され、電気回路を形成する。
【００１９】
以上のようにして、誘導灯付ソケットを形成する。
【００２０】
図１〜図４を参照すると、本考案に係る誘導灯付ソケットの特徴は、ケース１０、回路基板２０、少なくとも一つの発光ダイオード３０、少なくとも二つの導電端子４０及び蓄電ユニット５０を備える組合設計によることにあり、前記蓄電ユニット５０は、前記ケース１０の内部に設けられ、かつ前記前記蓄電ユニット５０が前記回路基板２０に電気的に接続されることにより、前記少なくとも一つの発光ダイオード３０及び少なくとも二つの導電端子４０に電気的に接続され、かつ、前記少なくとも二つの導電端子４０のそれぞれのプラグ４１は、前記ケース１０の各開口１１に対応して貫通することで、ケース１０にプラグ４１を形成し、前記少なくとも二つの導電端子４０のそれぞれの電気接続部４２は、前記ケース１０の各挿孔１２内に対応して設置され、前記ケース１０にソケットを形成し、前記少なくとも二つの導電端子４０のプラグ４１を電源ソケットに挿入してから室内電源６０に電気的に接続させ、蓄電ユニット５０が平時に電源が供給される時に充電し、停電の際に、少なくとも一つの発光ダイオード３０に電力を供給することによって、前記発光ダイオード３０を誘導灯として利用し、別に一組の誘導灯及び電源ソケットを設置することが不要となり、図４を参照すると、本考案に係る誘導灯付ソケットは、プラグ及びソケットを兼備する設計であるため、平時に電源６０が供給される時に、現有の電源ソケット位置が占用されることはなく、他の電気設備のプラグ７０は、本考案に係る導電端子４０の電気接続部４２内に挿入することができ、さらに前記導電端子４０のプラグ４１を一般の室内電源ソケット（例えば、壁上のソケット）内に差し込んで電源６０に接続し、電力を他の電気設備に供給し並びに蓄電ユニット５０が蓄電する効果を達成し、また、本考案は、さらに回転ジョイント（図示せず）と結合でき、使用上の実用性及び便利性を向上させる。
【００２１】
しかし、前記に開示された構成は、単に本考案の好ましい実施例に過ぎなく、本考案の特徴を局限するものではなく、いずれの当前記分野における通常の知識を有する専門家が本考案の分野の中で、適当に変換や修飾などを実施できるが、それらの実施のことが本考案の技術範囲内に含まれるべきことは言うまでもない。
【００２２】
以上のように、本考案は、創作の目的を確実に達成できる誘導灯付スイッチソケットを提供できる。
【図面の簡単な説明】
【００２３】
【図１】本考案に係る実施例の斜視外観図である。
【図２】本考案に係る実施例の素子分解図である。
【図３】本考案に係る実施例の結合を示す断面図である。
【図４】本考案に係る実施例を示す使用図である。
【符号の説明】
【００２４】
１０    ケース
２０    回路基板
３０    発光ダイオード
４０    導電端子
５０    蓄電ユニット
４１    プラグ
１１    開口
４２    電気接続部
１２    挿孔
６０    室内電源
７０    プラグ
１０１  上側ハウジング
１０２  下側ハウジング
【図１】
0003137399.tif 000003
【図２】
0003137399.tif 000004
【図３】
0003137399.tif 000005
【図４】
0003137399.tif 000006